(57)【特許請求の範囲】
【請求項１】
プラスチックシートを連続的に移送しながら前記プラスチックシートの表面に塗膜用液体を塗布する方法において、
前記プラスチックシートの移送方向前方には、前記プラスチックシートの下面と接するロールと、前記プラスチックシートの上面と接するガイドロールと、前記プラスチックシートの下面と接するロールがこの順に位置し、かつ前記ガイドロールは該ガイドロールの前後に位置する前記ロールよりも下方に位置し、
前記ガイドロールの表面には塗膜用液体を供給し、前記移送中のプラスチックシートの上面に前記ガイドロールを接触させ、前記ガイドロールの表面に供給された塗膜用液体を前記プラスチックシートの上面に付着させると共に、前記プラスチックシートを傾斜角度４５〜６０度で斜め上方へ移送し、
前記プラスチックシートを斜め上方へ移送中に、前記プラスチックシート上面の塗膜用液体にスキージを前記プラスチックシートの上面側から当てて余剰の塗膜用液体を掻き取ることを特徴とする塗布方法。
【発明の詳細な説明】
【技術分野】
【０００１】
本発明は、連続的にプラスチックシートを移送しながら塗膜用液体をプラスチックシートの表面に塗布する塗布方法に関する。
【背景技術】
【０００２】
従来、プラスチックシートを連続的に移送しながらプラスチックシートの表面に塗膜用液体を塗布する方法として、プラスチックシートの表面にガイドロールを介して塗膜用液体を付着させ、その後、塗布ロールをプラスチックシート表面の塗膜用液体に当てて塗膜用液体の塗布厚を調節する方法がある。
【０００３】
しかし、塗布ロールによって塗布厚を調節する方法では、塗布厚を均一にし難く、また極薄に塗布するのが難しい問題がある。
【０００４】
また、水平方向に移送するプラスチックシートの表面に塗布液を付着させ、その後スキージ（所謂へら）によって塗布液の厚みを均一にする方法も提案されているが、その場合、スキージで擦られた余剰の塗布液がスキージの位置で滞留し、スキージの両端からプラスチックシートの裏側へ回り込んで付着する問題がある。
【０００５】
【特許文献１】特開平５−３３７４１８号公報
【特許文献２】特開２００１−３０４６３号公報
【特許文献３】特開２００５−１６９２３９号公報
【発明の開示】
【発明が解決しようとする課題】
【０００６】
本発明は前記の点に鑑みなされたものであって、連続的にプラスチックシートを移送しながら塗膜用液体を均一な厚みでかつ薄く塗布することができ、さらにはプラスチックシートの裏側へ塗膜用液体が回り込むのを抑えることができる塗布方法の提供を目的とする。
【課題を解決するための手段】
【０００７】
請求項１の発明は、プラスチックシートを連続的に移送しながら前記プラスチックシートの表面に塗膜用液体を塗布する方法において、前記プラスチックシートの移送方向前方には、前記プラスチックシートの下面と接するロールと、前記プラスチックシートの上面と接するガイドロールと、前記プラスチックシートの下面と接するロールがこの順に位置し、かつ前記ガイドロールは該ガイドロールの前後に位置する前記ロールよりも下方に位置し、前記ガイドロールの表面には塗膜用液体を供給し、前記移送中のプラスチックシートの上面に前記ガイドロールを接触させ、前記ガイドロールの表面に供給された塗膜用液体を前記プラスチックシートの上面に付着させると共に、前記プラスチックシートを傾斜角度４５〜６０度で斜め上方へ移送し、前記プラスチックシートを斜め上方へ移送中に、前記プラスチックシート上面の塗膜用液体にスキージを前記プラスチックシートの上面側から当てて余剰の塗膜用液体を掻き取ることを特徴とする。
【発明の効果】
【００１１】
本発明の塗布方法によれば、連続的に移送するプラスチックシートの表面に付着させた塗膜用液体にスキージを当てるため、スキージによって塗布厚を均一、かつ薄くすることができる。しかも、プラスチックシートを斜め上方へ移送しながらプラスチックシート表面の塗膜用液体にスキージを当てているため、スキージで擦り取られる余剰の塗膜用液体は、プラスチックシートに沿って下方へ流れ、スキージの位置に余剰の塗膜用液体が溜まることがない。従って、スキージの位置に溜まった余剰の塗膜用液体がスキージの両側からプラスチックシートの裏側へ回り込むのを防ぐことができる。
【００１２】
また、本発明の塗布方法によれば、ガイドロールに塗膜用液体を供給することにより、ガイドロールを介してプラスチックシートの表面に塗膜用液体を付着させると共に、プラスチックシートとガイドロール間によって塗膜用液体を広げることができるため、プラスチックシートへの塗膜用液体の付着量を一定にし易い。さらに、プラスチックシートの移送方向に沿ってガイドロールよりも斜め上方に設けたスキージによってプラスチックシート表面の塗膜用液体を擦り、余剰の塗膜用液体を掻き取ることができるため、塗布厚を均一、かつ薄くすることができる。しかも、スキージによって擦り取られた余剰の塗膜用液体を、プラスチックシートに沿って下方へ流すことができ、スキージの位置に余剰の塗膜用液体が溜まることがなくなり、スキージの位置に溜まった余剰の塗膜用液体がスキージの両側からプラスチックシートの裏側へ回り込むのを防ぐことができる。
【発明を実施するための最良の形態】
【００１３】
図１は本発明の一実施例に係る塗布装置の概略を示す図、図２は図１のＡ部拡大図、図３はスキージの斜視図、図４は図３の４−４断面図、図５はスキージの他の例を示す断面図である。
【００１４】
図１及び図２に示す塗布装置１０は、連続的に移送するプラスチックシート３５の表面に塗膜用液体４１を塗布する装置である。また、本実施例の塗布装置１０では、押出成形機のダイス５１から押し出されるプラスチックシート３５を連続的に移送しながらプラスチックシート３５の表面に塗膜用液体４１を塗布するようになっている。前記プラスチックシート３５の材質は、特に限定されるものではなく、ポリスチレン（ＰＳ）やポリプロピレン（ＰＰ）等の熱可塑性合成樹脂を挙げることができる。また、前記プラスチックシート３５の厚みは、１５０〜３００μｍ程度が一般的である。この塗布装置１０を用いる塗布方法によって塗膜が形成されたプラスチックシートは、真空成形等によって所定形状に賦形され、食品のトレーや電子部品の搬送トレー等とされる。
【００１５】
前記塗布装置１０は、前記押出成形機のダイス５１から押し出されるプラスチックシート３５を移送するための移送手段１１と、前記プラスチックシート３５に接触してプラスチックシート３５の移送方向を斜め上方に変更すると共に塗膜用液体４１をプラスチックシート３５の表面に付着させるガイドロール２１と、プラスチックシート３５の表面に付着させる塗膜用液体４１を前記ガイドロール２１の表面に供給する液体供給手段２５と、プラスチックシートの移送方向に沿って前記ガイドロール２１よりも斜め上方に設けられたスキージ３１とを有する。
【００１６】
前記移送手段１１は、図示しないモータ等によって一方向へ回転する巻き取りロールで構成され、前記ダイス５１から押し出されるプラスチックシート３５を一定速度で巻き取るように構成されている。前記ダイス５１から移送手段１１までの間には、前記プラスチックシート３５を弛みなく移送するために、種々のロール１２が設けられている。また、前記ガイドロール２１よりも手前（移送方向に対して後方）の位置には、トリミング用カッター１３が設けられ、前記ダイス５１から押し出されたプラスチックシート３５の幅方向両端部をトリミング用カッター１３で裁断するようになっている。
【００１７】
前記ガイドロール２１は、金属またはプラスチックのロールからなり、前記プラスチックシート３５の幅よりも所定量大に設定されている。また、前記ガイドロール２１の直径は適宜決定される。例えば、直径５〜１０ｃｍ程度の例を挙げることができる。前記ガイドロール２１は、該ガイドロール２１の前後に位置するロール１２ａ，１２ｂよりも下方位置に設けられ、前記プラスチックシート３５が前記ガイドロール２１の下面に接した後に前方のロール１２ａの上面に送られることにより、プラスチックシート３５の移送方向を斜め上方へ変更するようになっている。前記ガイドロール２１は、前記プラスチックシート３５の移送速度に合わせて回転する。前記プラスチックシート３５の傾斜角度αは４５〜６０度が好ましい。傾斜角度αをこの角度範囲とすれば、後述のスキージ３１によって掻き取られる余剰の塗膜用液体４１を、前記プラスチックシート３５の表面に沿って下方へ効率よく誘導し、スキージ３１の位置に滞留するのを防ぐことができる。また、前記ガイドロール２１の直下には余剰の塗膜用液体を回収するための回収皿２２が設けられている。前記回収皿２２に回収された塗膜用液体は、後述の液体貯蔵タンクに送られて再利用される。
【００１８】
前記液体供給手段２５はスプレー装置からなり、液体貯蔵タンクからの塗膜用液体４１を前記ガイドロール２１の表面に吐出して前記ガイドロール２１の表面に付着させる。前記ガイドロール２１の表面に付着した塗膜用液体４１は、前記ガイドロール２１とプラスチックシート３５間で押されて前記ガイドロール２１の幅方向に広げられ、前記プラスチックシート３５の表面に付着する。前記塗膜用液体４１は、特に限定されるものではなく、界面活性剤の含まれる液体や帯電防止剤の含まれる液体等を挙げることができる。前記ガイドロール２１に対する液体供給手段２５による塗膜用液体４１の供給量（吐出量）は、前記ガイドロール２１によって塗膜用液体４１をガイドレール１２の幅方向両端まで広げることが可能な量とされる。
【００１９】
前記スキージ３１は、図３及び図４に示すように、保持フレーム３３によって上部が保持され、先端（下端）３２が下方へ突出している。前記保持フレーム３３は、断面コの字状からなり、上部３４が前記塗布装置１０のフレーム（図示せず）に取り付けられている。また、前記保持フレーム３３は、前記塗布装置１０のフレームに上下位置を調節可能に取り付けられている。前記スキージ３１の先端３２は、前記プラスチックシート３５の表面と接触し、前記プラスチックシート３５の表面の塗膜用液体４１と当たって余剰の塗膜用液体を掻き取ることができるようになっている。前記プラスチックシート３５の表面に対する前記スキージ３１の先端３２の押圧程度を調節することにより、前記スキージ３１の先端３２が掻き取る塗膜用液体の量を調節することができ、塗布厚を調節することができる。なお、前記スキージ３１の上下位置を調節することにより、前記スキージ３１の先端３２が前記プラスチックシート３５の表面を押圧する程度を調節することができる。また、前記スキージ３１と前記プラスチックシート３５の垂線ｍとの角度βは３０〜８０度が好ましい。この角度とすることにより、前記塗膜用液体４１を前記スキージ３１で効率よく掻き取ることができる。塗布厚は、塗膜用液体の種類やプラスチックシート３５の用途等に応じて適宜決定される。例として、１μｍ〜１０μｍを挙げる。
【００２０】
前記スキージ３１の材質は、耐久性の点などからウレタンゴムが好ましい。前記スキージ３１の硬度はＨＤＡ（デュロメータ  Ａ硬さ）６０〜９０度（ＪＩＳ  Ｋ  ７２１５準拠）が好ましい。前記硬度範囲とすることにより、塗膜に筋が発生するのをより効果的に防ぐことができるようになる。前記スキージ３１は、前記トリミング後のプラスチックシート３５の幅より大の横幅（長さ）とされ、厚みについては、５〜１０ｍｍ程度が好ましい。また、前記スキージ３１は、図３及び図４のような先端３２が平面の平スキージに限られず、図５の（５−Ａ）に示す剣スキージ３１Ａ、あるいは図５の（５−Ｂ）に示す角スキージ３１Ｂ等でもよい。
【００２１】
前記スキージ３１の位置よりも前記プラスチックシート３５の移送方向前方には、乾燥手段３４が設けられている。前記乾燥手段３４は、温風を吹き出す温風ヒーターからなり、前記プラスチックシート３５の塗膜用液体４１に温風を吹き付けることにより塗膜用液体４１を乾燥させ、塗膜４５とする。温風の温度は７０〜１００℃が好ましい。
【００２２】
前記塗布装置１０を用いる塗膜用液体の塗布は次のように行われる。まず、前記押出成形機のダイス５１から押し出されたプラスチックシート３５を、前記移送手段１１により前方へ移送し、前記トリミング用カッター１３でプラスチックシート３５の幅方向両端部を切断して所用幅とする。その後、前記ガイドロール２１の位置で前記プラスチックシート３５の移送方向を斜め上方にすると共に、前記液体供給手段２５により前記ガイドロール２１の表面に塗膜用液体４１を付着させ、前記ガイドロール２１に付着した塗膜用液体４１を前記プラスチックシート３５の表面に付着させる。次に、前記プラスチックシート３５を斜め上方へ移送中に前記スキージ３１によって前記プラスチックシート３５の表面の塗膜用液体４１を掻き取って均一の塗布厚にする。その際、掻き取られた余剰の塗膜用液体は、プラスチックシート３５に沿って下方へ移動し、前記スキージ３１の位置に溜まることがない。その後、前記乾燥手段３４によってプラスチックシート３５の表面の塗膜用液体４１を乾燥させて塗膜４５を形成する。塗膜形成後、前記プラスチックシート３５を、前記移送手段１１の巻き取りロールに巻き取る。このようにしてプラスチックシート３５の表面に形成された塗膜４５は、膜厚が均一で塗布ムラのない良好なものである。
【００２３】
なお、前記実施例では、押出成形機のダイスから塗布までを一連に行っているが、本発明はこの例に限られるものではなく、ロールに巻き取られたプラスチックシートを塗布装置にセットして塗布装置の移送手段で移送しながら塗布するものであってもよい。
【図面の簡単な説明】
【００２４】
【図１】本発明の一実施例に係る塗布装置の概略を示す図である。
【図２】図１のＡ部拡大図である。
【図３】スキージの斜視図である。
【図４】図３の４−４断面図である。
【図５】スキージの他の例を示す断面図である。
【符号の説明】
【００２５】
１０  塗布装置
１１  移送手段
２１  ガイドロール
２５  液体供給手段
３１  スキージ
３５  プラスチックシート
４１  塗膜用液体
４５  塗膜
【図１】
0005005520.tif 000002
【図２】
0005005520.tif 000003
【図３】
0005005520.tif 000004
【図４】
0005005520.tif 000005
【図５】
0005005520.tif 000006